(57)【要約】【課題】  モータハウジング内部への水の浸入を抑制する。【解決手段】  モータハウジングは、上ケース１と下ケース２とが各嵌合部１１、２１で互いに上下方向に嵌合することにより形成され、内部にモータやその駆動回路が収納されている。上ケース１の外表面１０の下端部には横方向に張り出すように傘状部１０１が設けられ、傘状部１０１と下ケース２の側面２０との間には最大隙間量αの間隙が設けられている。また傘状部１０１の下端部は、下ケース２の下面２２より下方距離βの位置に、水が下方へ滴下する部位である水切れ端部Ｐが形成される。これにより、上ケース１の外表面上を滴下して水切れ端部Ｐに至った水は、下ケース側面２０上に形成される嵌合端部Ｓ側へ移動することができず、嵌合部における毛細管現象によって内部に水が浸入することが防止できる。【選択図】        図７
2005184921.tif 000002
【特許請求の範囲】
【請求項１】
上下方向に分割可能な上ケース（１）と下ケース（２）とがそれぞれの嵌合部（１１、２１）で互いに嵌合することにより形成され、内部にモータ（７、７ａ）を収納するモータハウジングであって、
前記嵌合部における前記下ケースの上下方向の外表面である側面（２０）上に位置する嵌合端部（Ｓ）と、前記上ケースの外表面（１０）の下端部（１００、１０１、１０２、１０３、１１０、１１１、１１２、１１３）において前記上ケースの外表面上で水が滴下する部位である水切れ端部（Ｐ）との位置関係が、
前記水切れ端部と前記下ケースの前記側面との前記上下方向とは垂直の横方向の距離（α）、および、前記水切れ端部と前記嵌合端部との前記上下方向の距離（β）の、少なくともいずれか一方が所定値以上となるように形成されていることを特徴とするモータハウジング。
【請求項２】
前記上ケースの下端部には、前記横方向に所定長さの開口を備える凹部（１００ｂ、１００ｃ、１０５）が形成されていることを特徴とする請求項１に記載のモータハウジング。
【請求項３】
前記上ケースの下端部には前記横方向において前記下ケースとは反対方向に凸形状となる凸状部（１００、１０１、１０２、１０３）が形成されているとともに、
前記水切れ端部は、前記凸状部表面に位置することを特徴とする請求項１に記載のモータハウジング。
【請求項４】
前記上ケースの前記下ケースとは反対側の外表面上には、前記上下方向における斜め下方向に所定長さ伸長する傘部（１０２）が形成されるとともに、前記水切れ端部は前記傘部の下端部に相当することを特徴とする請求項１に記載のモータハウジング。
【請求項５】
前記上ケースの下端部（１１２）において、前記上下方向の下ケース側面との前記横方向距離が前記下方向となるに応じて大きくなるテーパ部（１１２ａ）が形成されているとともに、
前記水切れ端部は、前記テーパ部の前記上下方向の下端部であることを特徴とする請求項１に記載のモータハウジング。
【請求項６】
前記上下方向の下ケース側面（２０）の下端部（Ｔ）は、前記下ケースの前記上下方向の下方側の表面（２２）よりも前記上下方向の上方に位置することを特徴とする請求項１に記載のモータハウジング。
【請求項７】
前記上ケースの下端部と前記下ケースの側面との間には、前記横方向において所定長さ（α）の間隙（１００ｂ、１００ｃ、１０５）が形成されていることを特徴とする請求項１ないし６のいずれか１つに記載のモータハウジング。
【請求項８】
前記水切れ端部と前記下ケースの側面との前記横方向の距離の前記所定値は１ｍｍであることを特徴とする請求項１ないし６のいずれか１つに記載のモータハウジング。
【請求項９】
前記水切れ端部は、前記嵌合端部よりも前記上下方向における下方に位置することを特徴とする請求項１ないし８のいずれか１つに記載のモータハウジング。
【請求項１０】
前記上ケースの下端部は、前記下ケースの側面の下端部よりも前記上下方向の下方に位置することを特徴とする請求項１ないし８のいずれか１つに記載のモータハウジング。
【請求項１１】
前記下ケースの前記上下方向の下側底部（２ａ）に、水抜き用の穴（２ｂ）を備えていることを特徴とする請求項１ないし１０のいずれか１つに記載のモータハウジング。
【発明の詳細な説明】
【技術分野】
【０００１】
本発明は、空調用送風機などのモータを収容するモータハウジングに関する。
【背景技術】
【０００２】
従来より、空調用送風機のブロワモータは、上下に分割可能な上ケースと下ケースとが互いに嵌合して形成されるハウジング内に収納されている。そして、送風機により送風される風がこのモータハウジング内を流れ、モータハウジングの下流側の空調ユニットへ送風される。
【０００３】
図３に、この従来技術における上ケース１と下ケース２との嵌合部の断面図を示す。なお、図中に示す矢印の上下方向は、モータハウジングの配置方向を示している。
【０００４】
すなわち、従来技術においては、上ケース１と下ケース２との嵌合部１１、２１の端である嵌合端部Ｓが下ケース２の外表面２０に露出して形成されている。
【０００５】
また、上ケース１と下ケース２との嵌合部１１、２１は、ミクロ的に見ると完全な面接触ではない。すなわち、嵌合部１１、２１において互いに対向する部位のうち多くの部位は点接触または線接触による当接であり、それ以外の部位では接触しておらず、隙間を形成している。
【発明の開示】
【発明が解決しようとする課題】
【０００６】
車両用の空調装置においては、車外から入り込む雨や雪などに起因する水がモータハウジングの外表面上を滴下する。また、モータの冷却のためにモータハウジングの外部より冷却風が送風される場合は、この冷却風のモータハウジング内での流れにより、モータハウジング内部はモータハウジングの外部より負圧になっている。
【０００７】
したがって、ハウジングの外表面上を滴下する水は、上ケース１と下ケース２との嵌合端部Ｓにおいて発生する毛細管現象と、ハウジング内部の負圧とにより、その隙間よりハウジング内部に吸い込まれる。
【０００８】
例えば、図３（Ａ）に示すハウジングの場合は、上ケース１の外表面１０上を下方へ滴下する水は、下ケース２の外表面２０に至る前に嵌合端部Ｓに達し、この嵌合端部Ｓより毛細管現象によって嵌合部１１、２１へと吸い込まれる。
【０００９】
また、図３（Ｂ）に示すハウジングの場合は、上ケース１の外表面１０上を下方へ滴下する水は、上ケース１の外表面１０の下端部１０ａに達したのち、表面張力により上ケース１の外表面１０の下端表面上を横方向へ移動し、下ケース２の外表面２０上に形成されている嵌合端部Ｓに達する。この場合にも、水は嵌合端部Ｓより毛細管現象によって嵌合部１１、２１へと吸い込まれる。
【００１０】
このようにして、嵌合端部Ｓより嵌合部１１、２１を経てモータハウジング内に吸い込まれた水は、モータハウジング内の風の流れによりモータ内部にまで入り込み、モータの故障を引き起こすおそれがある。
【００１１】
本発明は、上記点に鑑み、モータハウジング内部への水の浸入を抑制することを目的とする。
【課題を解決するための手段】
【００１２】
上記目的を達成するため、請求項１に記載の発明は、上下方向に分割可能な上ケース（１）と下ケース（２）とがそれぞれの嵌合部（１１、２１）で互いに嵌合することにより形成され、内部にモータ（７、７ａ）を収納するモータハウジングであって、
嵌合部における下ケースの上下方向の外表面である側面（２０）上に位置する嵌合端部（Ｓ）と、上ケースの外表面（１０）の下端部（１００、１０１、１０２、１０３、１１０、１１１、１１２、１１３）において上ケースの外表面上で水が滴下する部位である水切れ端部（Ｐ）との位置関係が、水切れ端部と下ケースの側面との上下方向とは垂直の横方向の距離（α）、および、水切れ端部と嵌合端部との上下方向の距離（β）の、少なくともいずれか一方が所定値以上となるように形成されていることを特徴とする。
【００１３】
上ケースおよび下ケースの嵌合部の下ケースの外表面に形成される端部である嵌合端部は、毛細管現象の発生起点となりうる。そこで、本発明では、モータハウジングの上下方向を鉛直方向に配置する場合に、この嵌合端部と上ケースの外表面上において、水が上ケースより離れて重力方向へ滴下する部位である水切れ端部とが、所定値以上の距離となるよう離れて位置しているので、水切れ端部に存在する水が嵌合端部へ移動することを抑制できる。したがって、嵌合端部から毛細管現象によって上ケースと下ケースとの嵌合部を経て下ケースの内部、すなわちモータハウジング内部へ水が吸い込まれることを抑制することができる。
【００１４】
請求項２に記載の発明は、上ケースの下端部には、横方向に所定長さの開口を備える凹部（１００ｂ、１００ｃ、１０５）が形成されていることを特徴とする。
【００１５】
これにより、上ケースの外表面上を滴下し上ケースの下端部に至った水は、上ケースの下端部に設けた凹部により、横方向、すなわち下ケースの外表面方向への移動が阻害される。したがって、上ケースの下端部に至った水は、下ケースの外表面に形成されている嵌合端部に到達することが困難となり、この上ケースの下端部を水切れ端部としてこれより下方へ滴下するので、嵌合端部から毛細管現象によってモータハウジング内部へ浸入することが抑制される。
【００１６】
請求項３に記載の発明は、上ケースの下端部には横方向において下ケースとは反対方向に凸形状となる凸状部（１００、１０１、１０２、１０３）が形成されているとともに、水切れ端部は、凸状部表面に位置することを特徴とする。
【００１７】
これにより、上ケースの外表面上を滴下する水は、上ケースの下端部の下ケースとは反対の横方向へ凸状に膨らんだ、すなわち下ケース外表面より長い距離隔たった凸状部表面に至り、下ケース外表面へ移動する前にこの凸状部表面の水切れ端部より下方へ滴下する。したがって、上ケースの下端部に至った水は、下ケースの外表面に形成されている嵌合端部に到達することが困難となり、嵌合端部から毛細管現象によってモータハウジング内部へ浸入することが抑制される。
【００１８】
請求項４に記載の発明は、上ケースの下ケースとは反対側の外表面上には、上下方向における斜め下方向に所定長さ伸長する傘部（１０２）が形成されるとともに、水切れ端部は傘部の下端部に相当することを特徴とする。
【００１９】
これにより、上ケースの外表面上を滴下する水は、この外表面上に設けられた上下方向における斜め下方向に所定長さ伸長する傘部の下端部に至り、下ケース外表面へ移動する前に、この傘部の下端部を水切れ端部としてこれより下方へ滴下する。したがって、上ケースの外表面上を滴下する水は、下ケースの外表面に形成されている嵌合端部に到達することが困難となり、嵌合端部から毛細管現象によってモータハウジング内部へ浸入することが抑制される。
【００２０】
請求項５に記載の発明は、上ケースの下端部（１１２）において、上下方向の下ケース側面との横方向距離が下方向となるに応じて大きくなるテーパ部（１１２ａ）が形成されているとともに、水切れ端部は、テーパ部の上下方向の下端部であることを特徴とする。
【００２１】
これにより、上ケースの外表面上を滴下し上ケースの下端部に至った水は、上ケースの下端部に設けたテーパ部の下端部を水切れ端部として、これより下方へ滴下する。テーパ部の水切れ端部は、下ケース側面と横方向距離が大きくなっているため、水はこの水切れ端部より下ケース側面への移動が阻害されている。したがって、上ケースの下端部に至った水は、下ケースの外表面としての側面に形成されている嵌合端部に到達することが困難となり、この下端部を水切れ端部としてこれより下方へ滴下するので、嵌合端部から毛細管現象によってモータハウジング内部へ浸入することが抑制される。
【００２２】
請求項６に記載の発明は、上下方向の下ケース側面（２０）の下端部（Ｔ）は、下ケースの上下方向の下方側の表面（２２）よりも上下方向の上方に位置することを特徴とする。
【００２３】
これにより、下ケースの上下方向の下側の表面に水が存在する場合であっても、この下側の表面よりも上方にある下ケース側面の下端部には水が移動することが阻害される。したがって、例えば、下ケース側面の下端部を嵌合端部とする場合であっても、この嵌合端部には水が移動できないので、嵌合端部から毛細管現象によってモータハウジング内部へ浸入することが抑制される。
【００２４】
請求項７に記載の発明は、上ケースの下端部と下ケースの側面との間には、横方向において所定長さ（α）の間隙（１００ｂ、１００ｃ、１０５）が形成されていることを特徴とする。
【００２５】
これにより、上ケースの外表面上を滴下し上ケースの下端部に至った水は、上ケースの下端部と下ケースの側面との横方向の所定長さの間隙により、横方向、すなわち下ケースの外表面としての側面方向への移動が阻害される。したがって、上ケースの下端部に至った水は、下ケースの外表面に形成されている嵌合端部に到達することが困難となり、この上ケースの下端部を水切れ端部としてこれより下方へ滴下するので、嵌合端部から毛細管現象によってモータハウジング内部へ浸入することが抑制される。
【００２６】
水切れ端部と下ケースの側面との横方向の距離の所定値は、請求項８に記載のように、１ｍｍとすることができる。すなわち、上ケースに設けられる水切れ端部は、下ケースの嵌合端部が形成されている上下方向の外表面としての側面より横方向に１ｍｍ以上離して位置させることにより、上ケースの外表面上を水切れ端部まで滴下した水は、横方向の距離が大きいため、下ケース側面への移動が阻害される。
【００２７】
請求項９に記載の発明は、水切れ端部は、嵌合端部よりも上下方向における下方に位置することを特徴とする。
【００２８】
これにより、上ケースの外表面上を下方へ滴下し上ケースの下端部の水切れ端部に至った水は、その水切れ端部よりも上下方向すなわち、鉛直方向の上方の嵌合端部へは移動が阻害され、水切れ端部より鉛直下方へ滴下する。したがって、嵌合端部において毛細管現象による水の浸入を防止することができる。
【００２９】
また、請求項１０に記載のように、上ケースの下端部そのものを、下ケースの側面の下端部よりも上下方向の下方に位置するようにすれば、上ケースの外表面上を下方へ滴下して上ケースの下端部に至った水は、この上ケースの下端部よりも上下方向の上方、すなわち鉛直上方に位置する下ケース側面の下端部への移動は阻害される。したがって、下ケース側面に形成される嵌合端部への水の移動も阻害されるので、嵌合端部において毛細管現象による水の浸入を防止することができる。
【００３０】
さらに、請求項１１に記載のように、下ケースの上下方向の下側底部（２ａ）に、水抜き用の穴（２ｂ）を備えるようにすれば、一旦ハウジング内に浸入した水を、この水抜き用の穴からハウジング外へ排出することができる。
【００３１】
なお、上記各手段の括弧内の符号は、後述する実施形態に記載の具体的手段との対応関係を示すものである。
【発明を実施するための最良の形態】
【００３２】
（第１実施形態）
以下、本発明の第１実施形態として、車両用空調装置の送風機のブロワモータを収容するモータハウジングについて図面を参照して説明する。図１は本実施形態のモータハウジングの上面図であり、図２は側面図である。なお、図２においては、図１における部分断面（Ａ−Ａ断面、Ｂ−Ｂ断面）を示している。また、図中の矢印は、上ケース１および下ケース２の嵌合方向を上下方向として表している。さらに、この上下方向は、モータハウジングの車室内における配置方向である鉛直方向に一致させている。
【００３３】
本実施形態のモータハウジングは、上ケース１および下ケース２とを備えている。上ケース１と下ケース２とはモータハウジングの全周にわたって上下方向に嵌合している。この嵌合により形成されたモータハウジング内部には、モータを構成するロータ７およびステータ７ａやモータの駆動回路が収納されている。
【００３４】
上ケース１の上方は円形の開口が設けられ、この開口をロータカバー５で覆っている。ロータカバー５から上方へはロータ７と一体で回転するモータシャフト６が突き出ている。このモータシャフト６を回転軸として、図示しないブロワケースに収納された送風用ファンを回転駆動する。
【００３５】
モータハウジングの外周部には、矩形断面の冷却風路４が突出して設けられている。この冷却風路４の先端には冷却風吸い込み口３が上ケース１側に設けられ、図示しないブロワケースの吐出口に連通している。したがって、ブロワケースより吐出された空気が、図２中の矢印で示すように冷却風吸い込み口３よりモータハウジング内の冷却風路４に冷却風として送られる。
【００３６】
そして、この冷却風は、ハウジング内でモータの駆動回路やロータ７などを冷却して、ロータカバー５に設けられた冷却風出口８や、ロータカバー５と上ケース１との間に設けられた冷却風出口９よりモータハウジング外へ排出される。モータハウジング内は、このような冷却風吸い込み口３より吸い込まれた冷却風の流れにより、モータハウジングの外に対して負圧になっている。特に冷却風吸い込み口３付近の冷却風路４は、吸い込まれた冷却風の流速が大きく、したがって発生する負圧も大きくなっている。
【００３７】
図４は、上ケース１と下ケース２との嵌合部のうち、本第１実施形態の冷却風路４における左半分のＣ−Ｃ断面（図１参照）を示している。なお、冷却風路４の右半分は一点鎖線に対して対称形状であるので省略する。
【００３８】
図４において、上ケース１および下ケース２の側面はともに、上下方向に伸びた外表面１０、２０を備えている。また、上ケース１の嵌合部１１と下ケース２の嵌合部２１とは、互いにＬ字形状をなして対向配設されている。なお本実施形態の嵌合部においては、下ケース２の下方から伸びた平板状の側面壁の端部を嵌合部２１とし、上ケース１の上方から伸びた平板状の側面壁の一部に断面Ｌ字状の凹部を設けてこれを嵌合部１１としている。この結果、嵌合部１１、２１は、Ｃ−Ｃ断面において、モータハウジング内部の冷却風路４側から、下ケース２の外表面の嵌合端部Ｓの部位まで形成されている。
【００３９】
なお、下ケース２の底部２ａには、水抜き用穴２ｂが形成され、何らかの原因でモータハウジング内に水が混入しても、この水抜き用穴２ｂより水をモータハウジング外へ排出できるようになっている。
【００４０】
上ケース１の外表面１０には、上下方向における嵌合端部Ｓの位置付近から、下方へ向かうに応じて、下ケース２の外表面２０とは反対の横方向へ膨らむように、上ケース１の側面壁の厚さの半分（ほぼ下ケース２の側面壁の厚さに等しい）程度の厚さの傘状部１００が形成されており、この傘状部１００と下ケース２の外表面２０との間には、上下方向の下方ほど隙間の大きさが大きくなる、上ケース１下端部の凹部としての間隙１００ｂが形成されている。この傘状部１００は、上下方向において、下ケース２の下側表面２２の位置よりも上方の位置まで伸びている。
【００４１】
上ケース１の下端部としての傘状部１００の下端部は、所望の形状とすることができるが、本第１実施形態では横方向の面１００ａが形成されている。このように形成された上ケース１の外表面１０上を、上方から水が重力方向へ滴下するとき、傘状部１００の下端部に至った水は、傘状部１００の下面１００ａを表面張力で横方向（図４中、紙面右方向）に移動し、間隙１００ｂを隔てて横方向に位置する下ケース２の外表面２０に最も近い位置Ｐに達する場合がある。そして、水は間隙１００ｂの隙間の大きさが比較的大きければ、これ以上、下ケース２側へ横方向に移動することができず、結局、傘状部１００の下端部の下面１００ａのいずれかの部位（水切れ端部）より鉛直下方へ滴下することとなる。
【００４２】
なお、本第１実施形態では、水の滴下位置となり得、かつ、下ケース２の外表面２０に最も近い位置Ｐを水切れ端部とする。すなわち、上ケース１の下端部としての傘状部１００の下端部に形成される水切れ端部Ｐと、下ケース２の外表面２０との間には横方向に最大の距離（最大隙間量）αとなる間隙１００ｂが形成されている。
【００４３】
ただし、水切れ端部Ｐは、傘状部１００の下端部表面１００ａ上の水が滴下する部位ならどこでもよい。すなわち、傘状部１００の下端部を面状ではなく、たとえば半円などの凸形状としてもよく、この場合には、水切れ端部Ｐはこの凸形状の最も下の位置となる。いずれの形状でも、水切れ端部Ｐと、下ケース２の側面としての外表面２０との間隙１００ｂの横方向距離αを最大隙間量とする。
【００４４】
この水切れ端部Ｐより間隙１００ｂの存在のために下ケース２の外表面２０に水が移動できないと、下ケース２の外表面２０において水切れ端部Ｐよりも上下方向の上方にある嵌合端部Ｓへは水が移動することはない。水切れ端部Ｐ付近より移動できなくなった水は、この水切れ端部Ｐより下方へ滴下することになる。したがって、毛細管現象は発生することはなく、モータハウジング内への水の吸い込みも生じなくなる。
【００４５】
この最大隙間量αを種々に変えて、上ケース１の外表面１０上を滴下する水が、最終的に嵌合端部Ｓより毛細管現象によって、モータハウジング内部としての冷却風路４内へ進入するか否かを調べた結果を図５に表として示す。
【００４６】
この結果から、最大隙間量αが１．０ｍｍ以上であれば、毛細管現象が発生せず、最大隙間量αが１．０ｍｍより小さければ毛細管現象が発生する。すなわち、最大隙間量αが１．０ｍｍ以上であれば、水切れ端部Ｐより下ケース２の外表面２０への水の移動がなく、したがって嵌合端部Ｓにおいて毛細管現象も発生しない。
【００４７】
最大隙間量αが１．０ｍｍよりも小さい場合（α＝０．５ｍｍ、またはα＝０ｍｍ）には、水は水切れ端部Ｐより比較的狭い隙間（最大隙間量α）の間隙１００ｂを介して下ケース２の外表面２０の方へ移動して、間隙１００ｂに介在する。そして、さらに間隙１００ｂに介在した水は、毛細管現象によってこの間隙１００ｂを上方に向かって移動し、嵌合端部Ｓへと移動する。嵌合端部Ｓに至った水は、この嵌合端部Ｓより毛細管現象によってモータハウジング内へと吸い込まれる。なお、最大隙間量αがこのように小さい場合では、上ケース１の下端部の水切れ端部Ｐおよびこの水切れ端部Ｐと接近している下ケース２の外表面２０上の部位とが、実質的な嵌合端部Ｓに相当するとみなすことができる。
【００４８】
以上のように、本第１実施形態では、モータハウジングの上下方向を鉛直方向に配置する場合に、下ケース２の外表面２０に位置する嵌合端部Ｓと、上ケース１の外表面１０上において水が上ケース１より離れて重力方向へ滴下する部位である水切れ端部Ｐとが、所定値（１ｍｍ）以上の距離となるよう離れて位置しているので、水切れ端部Ｐに存在する水が横方向にある嵌合端部Ｓへ移動することを抑制できる。したがって、嵌合端部Ｓから毛細管現象によって上ケースと下ケースとの嵌合部を経て下ケース２の内部、すなわちモータハウジング内部へ水が吸い込まれることを抑制することができる。
【００４９】
次に、他の実施形態について説明する。なお、以下の各実施形態において、上記第１実施形態とは、上ケース１と下ケース２との嵌合部の断面形状が異なるのみであるので、上記第１実施形態と同様の冷却風路４付近のＣ−Ｃ断面図を用いて説明する。なお、各実施形態において、上記第１実施形態と同一構成には同じ符号を付して説明を簡略化する。
【００５０】
（第２実施形態）
図６は、第２実施形態のモータハウジングの冷却風路４付近の嵌合部断面を示す図である。第２実施形態においては、上ケース１の外表面１０をそのまま下方へまっすぐに伸ばした形状としている。すなわち、上ケース１の下端部１１０は下ケース２の下側表面２２よりも下方に距離βの位置まで伸ばされている。したがって、第２実施形態では、上ケース１の下端部に形成される水切り端部Ｐは、下ケース２の下側表面２２の位置、あるいは、下ケース２の側面の下端部Ｔよりも距離β下方（下方距離βという）に位置している。また、上ケース１の外表面１０は、下ケース２の側面としての外表面２０に沿うように配置されているので、下ケース２の外表面２０はすべて嵌合部２１となり、したがって、下ケース２の外表面の下端部Ｔと嵌合端部Ｓとは一致する。
【００５１】
第２実施形態では、上ケース１の外表面１０上を鉛直下方に滴下する水は、上ケース１の下端部１１０に形成される水切れ端部Ｐへ至る。しかし、水切れ端部Ｐは嵌合端部Ｓすなわち下ケース２の側面の下端部Ｔよりも鉛直下方に位置しているので、水は水切れ端部Ｐより鉛直上方に位置する嵌合端部Ｓへ移動することはできない。したがって、嵌合端部Ｓより毛細管現象によってモータハウジング内への水の吸い込みを抑制することができる。
【００５２】
このように、第２実施形態では、水切れ端部Ｐから嵌合端部Ｓへの水の移動阻止を、上記第１実施形態のように、横方向の水の移動を阻止するために上ケース１下端部に間隙（凹部）を設けるのではなく、水切れ端部Ｐを、嵌合端部Ｓの位置または下ケース２の側面下端部Ｔの位置より下方に配置することにより可能にしている。
【００５３】
なお、第２実施形態において、嵌合端部Ｓまたは下ケース２の側面下端部Ｔからの水切れ端部Ｐまでの下方距離βは０より大きければ（β＞０）、すなわち、水切れ端部Ｐが嵌合端部Ｓまたは下ケース２の側面下端部Ｔよりわずかに鉛直下方に位置するようにすれば、水の上方への移動を阻止することができる。
【００５４】
（第３実施形態）
図７は、第３実施形態のモータハウジングの冷却風路４付近の嵌合部断面を示す図である。第３実施形態では、上記第１実施形態の上ケース１の下端部に形成される傘状部１００を下ケース２の下側表面２２よりも下方（下方距離β）まで伸ばして、傘状部１０１としたものである。これにより、傘状部１０１の下端部に形成される水切れ端部Ｐは、下ケース２の側面としての外表面２０（すなわち外表面２０の下端部Ｔ）よりも横方向に最大隙間量α（α≧１ｍｍ）の距離隔てて、間隙１００ｂを介して位置するとともに、下ケース２の下側表面２２より下方距離βの位置に位置している。
【００５５】
すなわち、第３実施形態では、水切れ端部Ｐに至った水の下ケース２側への移動を、上記第１実施形態と同様、間隙１００ｂによる横方向距離αと、上記第２実施形態と同様、下方距離βとにより阻止している。
【００５６】
これにより、上ケース１の外表面上を滴下した水は、上ケース１の下端部に形成された傘状部１０１の下端の水切れ端部Ｐへ至り、その後この水切れ端部Ｐより横方向、かつ、鉛直上方にある下ケース２の側面２０の下端部Ｔへ移動することができず、結局水切れ端部Ｐより鉛直下方へ滴下する。
【００５７】
したがって、第３実施形態においても、上ケース１の外表面１０上を滴下する水は、毛細管現象によって間隙１００ｂを上方へ向かって移動することが阻止され、さらに、水が間隙１００ｂ内の上方にある嵌合端部Ｓへも水が達することはないので、この嵌合端部Ｓより毛細管現象によってモータハウジング内へ水が浸入することはない。
【００５８】
（第４実施形態）
図８は、第４実施形態のモータハウジングの冷却風路４付近の嵌合部断面を示す図である。第４実施形態では、上下方向における下方（鉛直下方）へ伸びた上ケース１の外表面１０の下端部よりも上方の位置に、横方向において下ケース２とは反対方向に凸形状となる凸状部が形成されている。
【００５９】
すなわち、上ケース１の外表面１０には、上下方向における斜め下方向に所定長さ伸長する傘部１０２が形成されている。この傘部１０２において、水切れ端部Ｐはこの傘部１０２の下端部に相当し、下ケース２の側面２０、すなわち嵌合端部Ｓより横方向距離α隔てて位置している。この水切れ端部Ｐと下ケース２の側面２０との間には、凹部１００ｃと上ケース１の下端部の嵌合部１１とが存在する。水切れ端部Ｐに至った水は、この凹部１００ｃの存在により、上記第１実施形態と同様、横方向、すなわち下ケース２側へ移動することが阻止され、水切れ端部Ｐより鉛直下方へ滴下する。
【００６０】
これにより、第４実施形態においても、上ケース１の外表面１０上を滴下する水は、傘部１０２の下端部の水切れ端部Ｐより横方向への移動、すなわち、下ケース２の側面２０およびその側面２０上にある嵌合端部Ｓへの移動が阻止されるので、嵌合端部Ｓより毛細管現象によってモータハウジング内へ進入することが防止される。
【００６１】
（第５実施形態）
図９は、第５実施形態のモータハウジングの冷却風路４付近の嵌合部断面を示す図である。第５実施形態では、第１および第３実施形態と同様の傘状部１０３を上ケース１の下端部に設けるとともに、この傘状部１０３と下ケース２の側面２０との間に、上ケース１を上下方向における下方（鉛直下方）へ伸ばして上ケース１の下端部１０４とし、この下端部１０４を嵌合部１１として下ケース２の側面２０の嵌合部２１と嵌合させている。これにより、下ケース２の側面２０の下端部Ｔは嵌合端部Ｓにも相当する。なお、本第５実施形態においては、傘状部１０３の下端部の下方距離βは０、すなわち、傘状部１０３の下端部の上下方向における位置は、下ケース２の下側表面２２と同じとしている。
【００６２】
上ケース１の下端部において、傘状部１０３と下ケース２の側面２０との間には、断面Ｕ字状の凹部１０５が形成される。傘状部１０３の下端部において、下ケース２側の端部を水切れ端部Ｐとみなすと、この凹部１０５の横方向の大きさは、水切れ端部Ｐと上ケース１の下端部１０４の水切れ端部Ｐ側の端部との間の隙間距離α（α≧１ｍｍ）とすることができる。この隙間距離αにより、上記第１実施形態と同様、水の水切れ端部Ｐから横方向への移動を阻止している。
【００６３】
このように、第５実施形態では、この凹部１０５における隙間により、上ケース１の外表面１０上を滴下して水切れ端部Ｐまで至った水は、横方向への移動、すなわち、下ケース２の側面２０の下端部Ｔおよびその側面２０上にある嵌合端部Ｓへの移動が阻止されるので、嵌合端部Ｓより毛細管現象によってモータハウジング内へ進入することが防止される。
【００６４】
（第６実施形態）
図１０は、第６実施形態のモータハウジングの冷却風路４付近の嵌合部断面を示す図である。第６実施形態では、上ケース１の外表面１０は、上記第２実施形態と同様、上下方向の下方（鉛直下方）へ伸ばし、上ケース１の下端部１１１の下方位置βは０、すなわち、下ケース２の下側表面２２と同じとしている。
【００６５】
さらに、本第６実施形態では、下ケース２の側面２０と下側表面２２との交わり部に、テーパ面２３が形成されている。このテーパ面２３の一方の端は、下ケース２の側面２０の下端部Ｔとして下ケース２の下側表面２２よりも上方の距離β（β＞０）の位置にあり、上ケース１と下ケース２との嵌合部１１、２１はこの下端部Ｔまで形成されている。すなわち下端部Ｔと嵌合端部Ｓとは一致している。
【００６６】
また、テーパ面２３の他方の端は、下ケース２の下側表面２２の横方向の端部Ｕとして下ケース２の側面２０よりも上ケース１とは反対側の横方向の距離α（α≧１ｍｍ）の位置にある。
【００６７】
上ケース１の下端部１１１における水切れ端部Ｐは、下端部１１１の下ケース２側の端にあるものとみなすと、この水切れ端部Ｐは、下ケース２の側面２０の下端部Ｔ、すなわち嵌合端部Ｓより下方距離βの位置にあり、第２実施形態と同様、水切れ端部Ｐから鉛直上方にある嵌合端部Ｓへの水の移動が阻止される。
【００６８】
また、水切れ端部Ｐは、下ケース２の下側面２０の横方向の端部Ｕとは隙間距離αの位置にあり、上記第１実施形態と同様、水切れ端部Ｐから横方向の下側面２０の端部Ｕへの水の移動が阻止され、その結果、上ケース１の下端部１１１とテーパ面２３との間で毛細管現象による水の上方への移動が発生しない。
【００６９】
このように、第６実施形態では、上ケース１の外表面１０上を滴下して水切れ端部Ｐまで至った水は、下ケース２の下端部に設けたテーパ面２３によって、鉛直上方への移動、すなわち、下ケース２の側面２０の下端部Ｔ（すなわち嵌合端部Ｓ）への移動が阻止されるとともに、横方向への移動、すなわち、下ケース２の下側表面２２の横方向の端部Ｕへの移動が阻止されるので、嵌合端部Ｓより毛細管現象によってモータハウジング内へ進入することが防止される。
【００７０】
なお、第６実施形態では、下ケース２の下端部にテーパ面２３を設けた例を示したが、テーパ面２３でなくともよい。すなわち、角部に丸みを形成し、この丸みにより、嵌合端部Ｓを下ケース２の下側表面２２より上方の距離βに位置するようにするとともに、下ケース２の下側表面２２の横方向の端部Ｕを上ケース１の下端部１１１より距離α隔てて位置するようにすることができる。
【００７１】
（第７実施形態）
図１１は、第７実施形態のモータハウジングの冷却風路４付近の嵌合部断面を示す図である。第７実施形態では、水切れ端部Ｐと嵌合端部Ｓとの横方向距離αおよび下方距離βを生じさせるために、上ケース１の下端部１１２にテーパ面１１２ａを設けている。
【００７２】
すなわち、下ケース２の側面２０の下端部Ｔは下ケース２の下側表面２２の端部と一致させる。上ケース１の外側面１０は上下方向に伸ばし、その下端部１１２は下ケース２の下側表面２２の上下方向位置と一致させる。そして上ケース１の下端部１１２には、上下方向の最下部で下ケース２の側面２０との隙間距離α（α≧１ｍｍ）が最大となるようテーパ面１１２ａが設けられている。
【００７３】
このテーパ面１１２ａの下方の端は、上ケース１の最下部に形成される水切れ端部Ｐであり、テーパ面１１２ａの上方の端は、水切れ端部Ｐよりも距離β上方にあって、下ケース２の側面２０と嵌合する嵌合部１１の下端、すなわち嵌合端部Ｓを形成している。
【００７４】
このように、第７実施形態では、上ケース１の外表面１０上を滴下して水切れ端部Ｐまで至った水は、上ケース１の下端部１１２に設けたテーパ面１１２ａによって、鉛直上方への移動、すなわち、嵌合端部Ｓへの移動が阻止されるとともに、横方向への移動、すなわち、下ケース２の側面２０への移動が阻止されるので、嵌合端部Ｓより毛細管現象によってモータハウジング内へ進入することが防止される。
【００７５】
（第８実施形態）
図１２は、第８実施形態のモータハウジングの冷却風路４付近の嵌合部断面を示す図である。第８実施形態では、上記第７実施形態における上ケース１の下端部１１２に凸状部１１３を設けたものである。
【００７６】
すなわち、第８実施形態では、上ケース１の下端部１１３は、上下方向に伸びる上ケース１の外表面１０の最下部において、下ケース２とは反対側の横方向へ凸となるよう膨らみを形成している。なお、上ケース１の下端部１１３と下ケース２の側面２０との間には、上記第７実施形態と同じテーパ面１１２ａが設けられており、このテーパ面１１２ａにより、横方向の最大隙間αと下ケース２の下側表面２２から嵌合端部Ｓまでの上下方向距離βとを備える凹部が形成されている。
【００７７】
第８実施形態では、上述のように構成されているので、水が上ケース１の外表面１０上を滴下して凸状部１１３へ至ると、水滴が大きい場合は凸状部１１３の横方向の先端Ｐ１を水切れ端部として、これより下方へ滴下する。あるいは、水滴が小さい場合は、水は凸状部１１３の外表面に沿って下側表面へ回り込み横方向へ移動してテーパ面１１２ａの下方の端部へ至り、これ以上横方向への移動が阻止されているので、この端部を水切れ端部Ｐとして下方へ滴下する。
【００７８】
このように、第８実施形態においては、上ケース１の下端部に設けた凸状部１１３の下側面のいずれかの部位が水切れ端部Ｐとなって、ここより水が下方へ滴下し、嵌合端部Ｓの方向への水の移動、すなわち横方向および鉛直上方への水の移動が阻止されるので、水が嵌合端部Ｓより毛細管現象によってモータハウジング内へ浸入することが抑制される。
【００７９】
（他の実施形態）
上記各実施形態では、上ケース１と下ケース２との嵌合部１１、２１は、上下方向に伸びる下ケース２の側面２０の上端部に対して、Ｌ字状に凹部が形成された上ケース１の下端部が嵌合する構造となっている例を示したが、これに限らない。
【００８０】
たとえば、図１３に示すように、下ケース２の上端部にもＬ字状の凹部を設け、上ケース１の下端部のＬ字状凹部と嵌合させるようにしてもよい。この場合には、下ケース２の側面２０上に形成される嵌合部１１、２１の下端部が嵌合端部Ｓに相当し、図１３に示す例では、上記第３実施形態（図７）と同様の傘状部１０１を上ケース１の下端部に設けることにより、毛細管現象による嵌合端部Ｓからモータハウジング内への水の浸入を防止することができる。
【００８１】
また、図１４に示すように、嵌合部１１、２１のそれぞれのＬ字状凹部の形成方向を、図１３に示した例とは逆方向とし、下ケース２の側面２０上に形成される嵌合部１１、２１の上端部が嵌合端部Ｓに相当するようにしてもよい。なお、図１４に示す例では、上記第１実施形態（図４）と同様の傘状部１００を上ケース１の下端部に設けることにより、毛細管現象による嵌合端部Ｓからモータハウジング内への水の浸入を防止することができる。
【００８２】
さらに、図１５に示すように、嵌合部１１、２１には凹部を設けず、上下方向に伸びる下ケース２の側面２０に対して、上下方向に伸びる上ケース１が外側から嵌合するようにしてもよい。この場合、嵌合端部Ｓは上下方向に伸びる嵌合部１１、２１の下端部に相当する。なお、図１５に示す例では、上記第３実施形態（図７）と同様の傘状部１０１を上ケース１の下端部に設けることにより、毛細管現象による嵌合端部Ｓからモータハウジング内への水の浸入を防止することができる。
【００８３】
上記各実施形態では、本発明を車両用空調装置の送風機のブロワモータを収容するモータハウジングに適用した例を示したが、本発明はこれに限定されるものではない。
【００８４】
また、本発明は、特許請求の範囲に記載された発明の趣旨に合致するものであればよく、上述の実施形態に限定されるものではない。
【図面の簡単な説明】
【００８５】
【図１】本発明の実施形態のモータハウジングの上面図である。
【図２】図１における部分断面図および側面図である。
【図３】（Ａ）、（Ｂ）とも、従来技術の上ケースと下ケースとの嵌合部断面図である。
【図４】第１実施形態の上ケースと下ケースとの嵌合部断面図である。
【図５】上ケース下端部の凹部（間隙）の最大隙間量αと毛細管現象による水の吸い込みの発生の有無との関係を示す図表である。
【図６】第２実施形態の上ケースと下ケースとの嵌合部断面図である。
【図７】第３実施形態の上ケースと下ケースとの嵌合部断面図である。
【図８】第４実施形態の上ケースと下ケースとの嵌合部断面図である。
【図９】第５実施形態の上ケースと下ケースとの嵌合部断面図である。
【図１０】第６実施形態の上ケースと下ケースとの嵌合部断面図である。
【図１１】第７実施形態の上ケースと下ケースとの嵌合部断面図である。
【図１２】第８実施形態の上ケースと下ケースとの嵌合部断面図である。
【図１３】他の実施形態の上ケースと下ケースとの嵌合部断面図である。
【図１４】他の実施形態の上ケースと下ケースとの嵌合部断面図である。
【図１５】他の実施形態の上ケースと下ケースとの嵌合部断面図である。
【符号の説明】
【００８６】
１…上ケース、２…下ケース、１０…上ケース外表面、１１…上ケース嵌合部、
２０…下ケース側面（外表面）、２１…下ケース嵌合部、２２…下ケース下側表面、
１００、１０１、１０３…傘状部、１０２…傘部、
１１０、１１１、１１２…上ケース下端部、１１２ａ…テーパ面、１１３…凸状部、
Ｐ…水切れ端部、Ｓ…嵌合端部、Ｔ…下ケース側面下端部。
【図１】
2005184921.tif 000003
【図２】
2005184921.tif 000004
【図３】
2005184921.tif 000005
【図４】
2005184921.tif 000006
【図５】
2005184921.tif 000007
【図６】
2005184921.tif 000008
【図７】
2005184921.tif 000009
【図８】
2005184921.tif 000010
【図９】
2005184921.tif 000011
【図１０】
2005184921.tif 000012
【図１１】
2005184921.tif 000013
【図１２】
2005184921.tif 000014
【図１３】
2005184921.tif 000015
【図１４】
2005184921.tif 000016
【図１５】
2005184921.tif 000017